(57)【要約】【課題】映像区間ごとの重要度に基づいて、該映像区間を収集する。【解決手段】自動取引装置の利用者の映像を記憶する映像記憶部、前記映像中の映像区間を示す情報、及び前記映像区間の重要度を記憶する重要度情報記憶部、を備える映像記憶装置と、前記映像記憶装置の各々が備える前記重要度情報記憶部に記憶された前記映像区間の重要度に基づいて、該映像記憶装置が備える前記映像記憶部からの前記映像区間の収集を制御する映像収集部を備える映像収集サーバと、からなる映像収集システム。【選択図】図１
2014067282.tif 000002
【特許請求の範囲】
【請求項１】
自動取引装置の利用者の映像を記憶する映像記憶部、
前記映像中の映像区間を示す情報、及び前記映像区間の重要度を記憶する重要度情報記憶部、
を備える映像記憶装置と、
前記映像記憶装置の各々が備える前記重要度情報記憶部に記憶された前記映像区間の重要度に基づいて、該映像記憶装置が備える前記映像記憶部からの前記映像区間の収集を制御する映像収集部
を備える映像収集サーバと、
からなる映像収集システム。
【請求項２】
前記映像収集部は、重要度が高い順に前記映像区間の収集を制御する請求項１に記載の映像収集システム。
【請求項３】
前記映像区間の重要度は、前記映像区間に行われた取引の内容に基づいた判定により得られる請求項１又は２に記載の映像収集システム。
【請求項４】
前記映像区間の重要度は、前記映像区間に映った自動取引装置の利用者の外見に基づいた判定により得られる請求項１〜３のいずれか一項に記載の映像収集システム。
【請求項５】
前記映像収集部は、ネットワークを介して前記映像区間の収集を行う請求項１〜４のいずれか一項に記載の映像収集システム。
【請求項６】
前記映像収集部は、前記映像区間の収集を一日のうちの所定の時間帯に行う請求項１〜５のいずれか一項に記載の映像収集システム。
【請求項７】
前記映像記憶装置は、自動取引装置から時間区間及び前記時間区間の重要度の通知を受信する重要度受信部をさらに備える請求項１〜６のいずれか一項に記載の映像収集システム。
【請求項８】
前記重要度情報記憶部は、前記自動取引装置に対応する少なくとも一つ以上の撮像装置からの映像と、通知された前記時間区間及び前記時間区間の重要度とを関連付けて、前記映像区間を示す情報及び前記映像区間の重要度として記憶する請求項７に記載の映像収集システム。
【請求項９】
時間区間の各々の重要度を判定する重要度判定部と、
前記時間区間、及び前記時間区間の重要度を映像記憶装置に通知する重要度通知部と、
を備える自動取引装置。
【請求項１０】
自動取引装置の利用者の映像を記憶する映像記憶部と、
前記映像中の映像区間を示す情報及び前記映像区間の重要度を記憶する重要度情報記憶部と、
前記重要度に基づいて指定された前記映像区間を、前記映像から抽出し、該映像区間を映像収集サーバへ送信する映像送信部と、
を備える映像記憶装置。
【請求項１１】
映像記憶装置の各々が記憶する映像区間の重要度に基づいて、前記映像記憶装置からの前記映像区間の収集を制御する映像収集部を備える映像収集サーバ。
【請求項１２】
自動取引装置の利用者の映像を映像記憶装置に記憶するステップと、
前記映像中の映像区間の示す情報、及び前記映像区間の重要度を映像記憶装置に記憶するステップと、
前記映像記憶装置の各々に記憶された前記映像区間の重要度に基づいて、映像収集サーバが該映像記憶装置からの前記映像区間の収集を制御するステップと、
を備える映像収集方法。
【請求項１３】
複数のコンピュータを
自動取引装置の利用者の映像を記憶する映像記憶部、
前記映像中の映像区間を示す情報、及び前記映像区間の重要度を記憶する重要度情報記憶部、
を備える映像記憶装置と、
前記映像記憶装置の各々が備える前記重要度情報記憶部に記憶された前記映像区間の重要度に基づいて、該映像記憶装置が備える前記映像記憶部からの前記映像区間の収集を制御する映像収集部
を備える映像収集サーバと、
として機能させるプログラム。
【発明の詳細な説明】
【技術分野】
【０００１】
本発明は、映像収集システム、自動取引装置、映像記憶装置、映像収集サーバ、映像収集方法、及びプログラムに関する。
【背景技術】
【０００２】
近年、利用者自身の操作で自動的に出金、及び入金等の各種取引を行うことができ、銀行窓口の営業終了後も稼働している自動取引装置（ＡＴＭ：ａｕｔｏｍａｔｅｄ−ｔｅｌｌｅｒ  ｍａｃｈｉｎｅ）が多様な場所に設置されるようになっている。これらの自動取引装置を管理するにあたって、金融機関は監視カメラ等にて自動取引装置の利用者の映像を取得している。
【０００３】
また、監視カメラ等によって映像を取得する一般的な映像監視システムにおいては、各拠点のカメラが収集した映像を特定の情報拠点（センタ）に収集し、一括管理することが行われている。このような管理方法を行うためには、各拠点から映像を収集するのに十分な帯域を持つネットワークを用意する必要があるが、コスト面での制約や一時的なトラブルなどにより十分な帯域を持つネットワークを用意できないことがあった。
【０００４】
そこで、例えば、特許文献１にはカメラの優先度と使用できるネットワークの帯域幅に基づいて、優先度の高いカメラからネットワーク帯域を確保して映像を送信する技術が開示されている。
【先行技術文献】
【特許文献】
【０００５】
【特許文献１】特開２００９−１８８８８４号公報
【発明の概要】
【発明が解決しようとする課題】
【０００６】
しかし、特許文献１に記載された技術では、ある時間帯におけるカメラごとの重要度を決定し、重要度の高いカメラの映像から優先的に収集することはできても、時間によって映像の重要度が頻繁に変わる場合には対応できないという問題があった。
【０００７】
そこで、本発明は、上記問題に鑑みてなされたものであり、本発明の目的とするところは、映像区間ごとの重要度に基づいて、該映像区間を収集することが可能な、新規かつ改良された映像収集システム、自動取引装置、映像記憶装置、映像収集サーバ、映像収集方法、及びプログラムを提供することにある。
【課題を解決するための手段】
【０００８】
上記課題を解決するために、本発明のある観点によれば、自動取引装置の利用者の映像を記憶する映像記憶部、前記映像中の映像区間を示す情報、及び前記映像区間の重要度を記憶する重要度情報記憶部、を備える映像記憶装置と、前記映像記憶装置の各々が備える前記重要度情報記憶部に記憶された前記映像区間の重要度に基づいて、該映像記憶装置が備える前記映像記憶部からの前記映像区間の収集を制御する映像収集部を備える映像収集サーバと、からなる映像収集システムが提供される。
【０００９】
前記映像収集部は、重要度が高い順に前記映像区間の収集を制御してもよい。
【００１０】
前記映像区間の重要度は、前記映像区間に行われた取引の内容に基づいた判定により得られてもよい。
【００１１】
前記映像区間の重要度は、前記映像区間に映った自動取引装置の利用者の外見に基づいた判定により得られてもよい。
【００１２】
前記映像収集部は、ネットワークを介して前記映像区間の収集を行ってもよい。
【００１３】
前記映像収集部は、前記映像区間の収集を一日のうちの所定の時間帯に行ってもよい。
【００１４】
前記映像記憶装置は、自動取引装置から時間区間及び前記時間区間の重要度の通知を受信する重要度受信部をさらに備えてもよい。
【００１５】
前記重要度情報記憶部は、前記自動取引装置に対応する少なくとも一つ以上の撮像装置からの映像と、通知された前記時間区間及び前記時間区間の重要度とを関連付けて、前記映像区間を示す情報及び前記映像区間の重要度として記憶してもよい。
【００１６】
また、上記課題を解決するために、本発明の別の観点によれば、時間区間の各々の重要度を判定する重要度判定部と、前記時間区間、及び前記時間区間の重要度を映像記憶装置に通知する重要度通知部と、を備える自動取引装置が提供される。
【００１７】
また、上記課題を解決するために、本発明のさらに別の観点によれば、自動取引装置の利用者の映像を記憶する映像記憶部と、前記映像中の映像区間を示す情報及び前記映像区間の重要度を記憶する重要度情報記憶部と、前記重要度に基づいて指定された前記映像区間を、前記映像から抽出し、該映像区間を映像収集サーバへ送信する映像送信部と、を備える映像記憶装置が提供される。
【００１８】
また、上記課題を解決するために、本発明のさらに別の観点によれば、映像記憶装置の各々が記憶する映像区間の重要度に基づいて、前記映像記憶装置からの前記映像区間の収集を制御する映像収集部を備える映像収集サーバが提供される。
【００１９】
また、上記課題を解決するために、本発明のさらに別の観点によれば、自動取引装置の利用者の映像を映像記憶装置に記憶するステップと、前記映像中の映像区間の示す情報、及び前記映像区間の重要度を映像記憶装置に記憶するステップと、前記映像記憶装置の各々に記憶された前記映像区間の重要度に基づいて、映像収集サーバが該映像記憶装置からの前記映像区間の収集を制御するステップと、を備える映像収集方法が提供される。
【００２０】
また、上記課題を解決するために、本発明のさらに別の観点によれば、複数のコンピュータを自動取引装置の利用者の映像を記憶する映像記憶部、前記映像中の映像区間を示す情報、及び前記映像区間の重要度を記憶する重要度情報記憶部、を備える映像記憶装置と、前記映像記憶装置の各々が備える前記重要度情報記憶部に記憶された前記映像区間の重要度に基づいて、該映像記憶装置が備える前記映像記憶部からの前記映像区間の収集を制御する映像収集部を備える映像収集サーバと、として機能させるプログラムが提供される。
【発明の効果】
【００２１】
以上説明したように本発明によれば、映像区間ごとの重要度に基づいて、該映像区間を収集することが可能である。
【図面の簡単な説明】
【００２２】
【図１】本実施形態に係る映像収集システムの全体構成を示した説明図である。
【図２】同実施形態に係る自動取引装置及び映像記憶装置の内部構成を示したブロック図である。
【図３】同実施形態に係る映像収集サーバの内部構成を示したブロック図である。
【図４】重要度判定情報記憶部が記憶する重要度判定情報の具体例を示した説明図である。
【図５】重要度通知部が通知する重要度通知情報の具体例を示した説明図である。
【図６】ＡＴＭ−カメラ対応情報記憶部が記憶する自動取引装置と撮像装置の対応情報の具体例を示した説明図である。
【図７】重要度記憶部が記憶する重要度情報の具体例を示した説明図である。
【図８】映像記憶部が記憶する映像のファイル情報の具体例を示した説明図である。
【図９】映像収集情報記憶部が記憶する映像収集情報の具体例を示した説明図である。
【図１０】収集映像記憶部が記憶する映像のファイル情報の具体例を示した説明図である。
【図１１】同実施形態に係る自動取引装置の動作を示すフローチャート図である。
【図１２】同実施形態に係る映像記憶装置の動作を示すフローチャート図である。
【図１３】同実施形態に係る映像収集サーバの動作を示すフローチャート図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
＜１．映像収集システムの全体構成＞
まず、図１を参照して、本発明の実施形態に係る映像収集システムの全体構成について説明する。図１は、本実施形態に係る映像収集システムの全体構成を示した説明図である。図１に示すように、本実施形態に係る映像収集システムは、自動取引装置１０と、映像記憶装置２０と、映像収集サーバ３０と、専用ネットワーク４０と、撮像装置５０を備える。
【００２５】
自動取引装置１０は、金融機関の利用者自身の操作によって自動的に入出金などの取引を行うことができる装置である。自動取引装置１０は、金融機関の各支店など多様な場所に設置される。例えば、図１に示すように、金融機関の店舗１には、複数の自動取引装置１０が設置されており、取引に必要な情報を、図示せぬ通信回線を通じて、図示せぬホスト装置と通信すると共に、映像記憶装置２０−１とＬＡＮ（Ｌｏｃａｌ  Ａｒｅａ  Ｎｅｔｗｏｒｋ）などを介して接続されている。また、同じ金融機関の別の店舗ｎにおいても同様に、複数の自動取引装置１０が設置され、映像記憶装置２０−ｎと接続されている。
【００２６】
自動取引装置１０は、詳細に後述するように、時間区間の各々について重要度を判定する機能を有する。自動取引装置１０は、事前に記憶された重要度判定情報に基づいて、ある時間区間において当該時間区間の重要度が高いと判定した場合、当該時間区間の開始時間、終了時間及び重要度を接続された映像記憶装置２０に通知する。
【００２７】
撮像装置５０は、自動取引装置１０の利用者の映像を取得する。具体的には、撮像装置５０は、金融機関が自動取引装置１０を管理するにあたって設置した監視カメラ等である。図１に示すように、店舗１において撮像装置５０は複数台設置され、映像記憶装置２０−１とＬＡＮなどを介して接続されている。また、撮像装置５０は、それぞれ対応する自動取引装置１０の利用者の映像を取得して映像記憶装置２０−１に送信する。また、同じ金融機関の別の店舗ｎにおいても同様に、複数の撮像装置５０が設置され、映像記憶装置２０−ｎと接続されている。
【００２８】
また、撮像装置５０は、自動取引装置１０とは別個の監視カメラであってもよいし、自動取引装置１０に内蔵されたカメラ装置であってもよい。また、一つの自動取引装置１０の利用者の映像を複数の撮像装置５０が取得するようにしてもよい。
【００２９】
映像記憶装置２０は、各撮像装置５０が取得した映像を記憶する。また、映像記憶装置２０は、各自動取引装置１０から通知された重要度を含む重要度通知情報を基に、記憶した映像中の映像区間を示す情報と当該映像区間の重要度を対応させて、重要度情報として記憶する。さらに、映像記憶装置２０は、該重要度情報に基づいて映像収集サーバ３０に映像区間を送信する。
【００３０】
映像収集サーバ３０は、情報拠点であるセンタ内に設置され、各映像記憶装置２０から映像を収集する。図１に示すように、映像収集サーバ３０は、専用ネットワーク４０を介して、各映像記憶装置２０と接続されており、映像記憶装置２０に記憶されている重要度情報に基づいて、映像区間を収集する。
【００３１】
専用ネットワーク４０は、金融機関が有する専用のネットワークであり、例えば、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。専用ネットワーク４０は、店舗に設置された各映像記憶装置２０とセンタに設置された映像収集サーバ３０を接続し、映像区間の送受信を可能にしている。
【００３２】
以上、図１を参照して、本実施形態に係る映像収集システムの全体構成について説明した。図１では、店舗１及び店舗ｎのみが図示されているが、本発明は店舗の数に制限されるものではない。以下では、一店舗における自動取引装置１０及び映像記憶装置２０について詳細に説明を行うが、他店舗における自動取引装置１０及び映像記憶装置２０も同様の構成を有することは言うまでもない。
【００３３】
＜２．映像収集システムの各装置の内部構成＞
引き続き、図２〜図１０を参照して、本実施形態に係る映像収集システムを構成する自動取引装置１０、映像記憶装置２０、及び映像収集サーバ３０の内部構成について、詳細に説明する。
【００３４】
［２−１．自動取引装置の内部構成］
まず、図２、４、５を参照して、本実施形態に係る自動取引装置１０の内部構成について具体的に説明する。図２は、本実施形態に係る自動取引装置１０及び映像記憶装置２０の内部構成を示したブロック図である。図４は、重要度判定情報記憶部１００が記憶する重要度判定情報の具体例を示した説明図であり、図５は、重要度通知部１２０が通知する重要度通知情報の具体例を示した説明図である。
【００３５】
図２に示すように、本実施形態に係る自動取引装置１０は、重要度判定情報記憶部１００と、重要度判定部１１０と、重要度通知部１２０と、を含む。ここで、一般的な自動取引装置が有する利用者自身の操作で自動的に出金、及び入金等の各種取引を行う機能を実現する構成については周知であるので、ここでの詳細な説明は省略する。
【００３６】
本実施形態における重要度判定情報記憶部１００は、例えば、ＨＤＤ（Ｈａｒｄ  Ｄｉｓｋ  Ｄｒｉｖｅ）装置、ＳＳＤ（Ｓｏｌｉｄ  Ｓｔａｔｅ  Ｄｒｉｖｅ）装置などの記録媒体で実現されてもよい。また、重要度判定部１１０及び重要度通知部１２０は、例えば、ＣＰＵ（Ｃｅｎｔｒａｌ  Ｐｒｏｃｅｓｓｉｎｇ  Ｕｎｉｔ）、などで構成される演算処理装置および制御装置で実現されてもよい。また、重要度判定部１１０及び重要度通知部１２０は一つのハードウェアによって機能を実現されてもよいし、別々のハードウェアによって機能を実現されてもよい。
【００３７】
重要度判定部１１０は、各時間区間における重要度を重要度判定情報記憶部１００に記憶された重要度判定情報に基づいて判定する。具体的に、時間区間とは取引の開始から終了までの時間に対応する。より具体的には、取引の開始とは利用者がキャッシュカードやクレジットカードなどのカードを自動取引装置１０に挿入した時点であり、取引の終了とは自動取引装置１０からカードが排出されて、顧客がカードを受け取ったと判断した時点である。重要度判定部１１０は、各取引にて開始及び終了時間を取得し、さらに該取引において、重要度判定情報に基づき該取引の重要度を判定する。
【００３８】
なお、取引の開始について、上記実施形態ではカードを挿入した時点としたが、それに代えて取引選択ボタンの押下や、通帳等のカード以外の媒体が挿入された時点としてもよい。また、取引の終了について、上記実施形態ではカードが排出されて顧客がカードを受け取ったと判断した時点としたが、現金・明細票や通帳等の他の媒体が排出される場合は、それらの媒体が排出され、顧客が全ての媒体を受け取ったと判断した時点としても良い。
【００３９】
重要度判定情報記憶部１００には、自動取引装置１０が各時間区間の重要度を判定するための基準となる重要度判定情報が事前に定められ、記憶されている。例えば、取引内容及び取引を行った人物の外見などに関する判定基準が記憶されている。
【００４０】
具体的には、図４に示すように、重要度判定情報記憶部１００には、所定時間内における暗証番号間違いが３回以上であった取引を重要度「Ａ」と判定するよう記憶されている。ここで、所定時間とは、例えば１日などである。また、重要度判定情報記憶部１００には、取引額が１００万円以上の取引を重要度「Ａ」と判定するよう記憶されており、金融機関ホストから盗難届が出されている等の理由により要注意口座として挙げられている口座に関する入金、出金及び振込などの取引を重要度「Ａ」と判定するよう記憶されている。また、重要度判定情報記憶部１００には、サングラスをかけた人物が行った取引を重要度「Ｂ」とするよう記憶されている。さらに、取引が上記のいずれにも該当しない場合には、重要度「Ｃ」とするように記憶されている。
【００４１】
ここで、図４で示した具体例では、重要度の段階が「Ａ」、「Ｂ」、「Ｃ」の三段階であるが、本発明は、係る例に限定されない。重要度の段階は、より多段階に分けられていてもよい。例えば、重要度の段階が、「Ａ」、「Ｂ」、「Ｃ」、「Ｄ」、「Ｅ」の５段階であってもよい。
【００４２】
また、図４で示した具体例では、所定時間内の暗証番号間違い回数及び取引額における重要度の判定基準が一つだけであるが、複数の判定基準が段階的に定められていてもよい。例えば、取引額が５０万円以上の取引を重要度「Ｂ」と判定し、取引額が１００万円以上の取引を重要度「Ａ」と判定するよう記憶されていてもよい。さらに、所定時間内における暗証番号間違いが３回以上であった取引を重要度「Ｂ」と判定し、所定時間内における暗証番号間違いが５回以上であった取引を重要度「Ａ」と判定するように記憶されていてもよい。
【００４３】
重要度通知部１２０は、重要度判定部１１０が取得した各取引の開始及び終了時間、重要度判定部１１０が判定した該取引の重要度を重要度通知情報として映像記憶装置２０に通知する。具体的には、重要度通知情報は、時間区間の日時、開始時間、終了時間及び重要度などを含む。例えば、図５に示した重要度通知情報には、日時が「２０１１年１２月１日」、開始時間「１１：２２：３３」から終了時間「１１：２５：１１」である時間区間の重要度は「Ａ」である旨が含まれている。
【００４４】
上記において、重要度判定部１１０が取引を行った人物の外見から重要度を判定する場合には、撮像装置５０が取得した自動取引装置１０の利用者の映像は、自動取引装置１０へ入力されてもよい。係る場合、重要度判定部１１０は、入力された自動取引装置１０の利用者の映像より取引を行った人物の外見を判別し、重要度判定情報に基づいて重要度判定を行う。
【００４５】
ここで、上記実施形態においては、時間区間とは一取引の開始から終了までの時間に対応するとしたが、本発明は係る例に限定されない。例えば、取引がなかった時間についても時間区間として、前回取引の終了時間を該時間区間の開始、次回取引の開始時間を該時間区間の終了として、取引がなかった時間区間の開始時間及び終了時間を取得し、該時間区間の重要度を判定してもよい。
【００４６】
また、重要度判定情報に、設置環境においてセンサが異常値を検知した際に重要度を判定するような判定基準が定義されている場合には、センサが異常値を検知した時間を開始時間とし、正常値に戻った時間を終了時間として時間区間を取得してもよい。ここで、設置環境における異常値とは、例えば、センサなどにより一定値以上の振動、加速度、温度などが検知された場合である。
【００４７】
また、自動取引装置１０において、利用者が暗証番号間違いをした場合に取引を終了させる設定になっている場合、重要度判定部１１０は、重要度判定に用いる上記の所定時間内における暗証番号間違い回数を累計で算出して判定を行ってもよい。係る場合には、自動取引装置１０はカードに暗証番号間違いをした日時を記録しておき、重要度判定部１１０は、記録された暗証番号間違いをした日時に基づいて所定時間内の暗証番号間違い回数を数え上げて累計回数を算出する。そして、重要度判定部１１０は、該暗証番号間違いの累計回数と重要度判定情報記憶部１００に記憶された判定基準に基づいて重要度を判定してもよい。係る場合に、重要度判定部１１０は、暗証番号間違いの累計回数が判定基準に達した時の取引の重要度を該判定基準に該当する重要度と判定してもよいし、所定時間内の暗証番号間違いをした取引すべての重要度を該判定基準に該当する重要度と判定してもよい。なお、上記では、暗証番号間違いをした日時をカードに記録するようにしたが、カードの代わりに、図示せぬホスト装置に記録し、暗証番号間違いが生じた場合に自動取引装置１０がホスト装置と通信して暗証番号間違いの累計回数を算出するようにしても良い。
【００４８】
［２−２．映像記憶装置の内部構成］
次に、図２、６〜８を参照して、本実施形態に係る映像記憶装置２０の内部構成について、具体的に説明する。図６は、ＡＴＭ−カメラ対応情報記憶部２２０が記憶する自動取引装置１０と撮像装置５０であるカメラの対応情報の具体例を示した説明図である。また、図７は、重要度情報記憶部２３０が記憶する重要度情報の具体例を示した説明図である。さらに、図８は、映像記憶部２４０が記憶する映像のファイル情報の具体例を示した説明図である。
【００４９】
図２に示すように、本実施形態に係る映像記憶装置２０は、重要度受信部２００と、重要度情報作成部２１０と、ＡＴＭ−カメラ対応情報記憶部２２０と、重要度情報記憶部２３０と、映像記憶部２４０と、映像送信部２５０と、を備える。
【００５０】
本実施形態におけるＡＴＭ−カメラ対応情報記憶部２２０、重要度情報記憶部２３０及び映像記憶部２４０は、例えば、ＨＤＤ装置、ＳＳＤ装置などの記録媒体で実現されてもよい。また、重要度受信部２００、重要度情報作成部２１０、及び映像送信部２５０は、例えば、ＣＰＵなどで構成される演算処理装置および制御装置で実現されてもよい。
【００５１】
また、ＡＴＭ−カメラ対応情報記憶部２２０、重要度情報記憶部２３０及び映像記憶部２４０は、一つのハードウェアによって機能を実現されてもよいし、別々のハードウェアによって機能を実現されてもよい。重要度受信部２００、重要度情報作成部２１０、及び映像送信部２５０についても同様に、一つのハードウェアによって機能を実現されてもよいし、別々のハードウェアによって機能を実現されてもよい。
【００５２】
重要度受信部２００は、自動取引装置１０の重要度通知部１２０より時間区間の重要度を含んだ重要度通知情報を受信する。重要度受信部２００は、例えば、ＵＳＢ（Ｕｎｉｖｅｒｓａｌ  Ｓｅｒｉａｌ  Ｂｕｓ）ポート、ＩＥＥＥ１３９４ポートなどの外部機器接続インターフェースを用いて、重要度通知部１２０からの重要度通知情報を受信してもよいし、有線ＬＡＮまたは無線ＬＡＮなどのネットワーク接続ポートを介して、重要度通知部１２０からの重要度通知情報を受信してもよい。
【００５３】
ＡＴＭ−カメラ対応情報記憶部２２０は、自動取引装置（ＡＴＭ）１０と撮像装置５０であるカメラの対応関係を記憶する。具体的には、ＡＴＭ−カメラ対応情報記憶部２２０は、自動取引装置１０のそれぞれについて、該自動取引装置１０の利用者の映像を取得している複数台のカメラの番号が記憶されている。
【００５４】
図６に示すように、例えば、ＡＴＭ−カメラ対応情報記憶部２２０には、機番「１」の自動取引装置１０の利用者の映像が、「ｎ０１」及び「ｎ０２」の番号であるカメラによって取得されていることが記憶されている。また、ＡＴＭ−カメラ対応情報記憶部２２０は、機番「２」の自動取引装置１０の利用者の映像が、「ｎ０１」及び「ｎ０３」の番号であるカメラによって取得されており、機番「３」の自動取引装置１０の利用者の映像が、「ｎ０１」及び「ｎ０４」の番号であるカメラによって取得されていることが記憶されている。
【００５５】
重要度情報作成部２１０は、重要度情報を作成する。具体的には、重要度情報作成部２１０は、重要度受信部２００が受信した時間区間の日時、開始時間、終了時間及び重要度を含む重要度通知情報と、ＡＴＭ−カメラ対応情報記憶部２２０に記憶された自動取引装置１０とカメラの対応情報とを関連付けて、映像中の映像区間を示す情報と映像区間の重要度を含む重要度情報を作成する。
【００５６】
より詳細には、重要度情報作成部２１０は、重要度通知情報に含まれる日時、開始時間、終了時間及び重要度をそれぞれ、録画日、録画開始時間、録画終了時間及び重要度に入力する。さらに、重要度情報作成部２１０は、該重要度通知情報を通知した自動取引装置１０に対応するカメラ番号をＡＴＭ−カメラ対応情報記憶部２２０より取得し、対応するカメラ番号として入力する。ここで、自動取引装置１０に対応するカメラ番号が複数存在する場合は、重要度情報作成部２１０は、カメラ番号ごとに複数の重要度情報を作成する。さらに、重要度情報作成部２１０は、該重要度情報作成部２１０が含まれる映像記憶装置２０の映像記憶装置番号を入力する。以上により、映像中の映像区間を示す録画日、録画開始時間、録画終了時間、映像を取得したカメラ番号、映像が記憶される映像記憶装置番号、及び該映像区間の重要度が対応した重要度情報が作成される。
【００５７】
重要度情報記憶部２３０は、重要度情報作成部２１０が作成した重要度情報を記憶する。具体的には、重要度情報記憶部２３０に記憶された重要度情報の一例を図７に示す。図７に示すように、映像記憶装置番号「ｎ」、カメラ番号「ｎ０１」、録画日「２０１１年１２月１日」、録画開始時間「１１：２２：３３」、録画終了時間「１１：２５：１１」である映像区間の重要度は「Ａ」である。同様に、映像記憶装置番号「ｎ」、カメラ番号「ｎ０１」、録画日「２０１１年１２月１日」、録画開始時間「１２：３３：４４」、録画終了時間「１２：３８：２２」である他の映像区間の重要度は「Ａ」であり、映像記憶装置番号「ｎ」、カメラ番号「ｎ０１」、録画日「２０１１年１２月１日」、録画開始時間「１４：５５：５５」、録画終了時間「１４：５９：３３」である映像区間の重要度は「Ｂ」である。また、５行目の映像記憶装置番号「ｎ」、カメラ番号「ｎ０２」、録画日「２０１１年１２月１日」、録画開始時間「１１：２２：３３」、録画終了時間「１１：２５：１１」、重要度は「Ａ」である映像区間は１行目の映像区間とカメラ番号のみが異なるので、同一の時間区間の自動取引装置１０の利用者の映像を異なるカメラで取得した映像区間である。
【００５８】
映像記憶部２４０は、撮像装置５０であるカメラが取得した映像を記憶している。具体的には、各カメラが取得し、映像記憶装置２０に送信した映像を映像ファイルとして記憶し、映像記憶装置番号、カメラ番号、録画日、及び映像ファイルを対応付けした記憶映像のファイル情報も別途記憶している。
【００５９】
記憶映像のファイル情報には、例えば、図８に示すように、映像記憶装置番号「ｎ」、録画日「２０１１年１２月１日」、カメラ番号「ｎ０１」が取得した映像は、映像ファイル「１２０１ｎ０１」であるとして記憶されている。また、映像記憶装置番号「ｎ」、録画日「２０１１年１２月１日」、カメラ番号「ｎ０２」が取得した映像は、映像ファイル「１２０１ｎ０２」であるとして記憶されている。
【００６０】
映像送信部２５０は、重要度に基づき指定された映像区間を、映像収集サーバ３０に送信する。具体的には、映像送信部２５０は、後述する映像収集サーバ３０の映像収集部３３０より重要度に基づき指定された映像区間を、映像記憶部２４０に記憶された映像から抽出し、専用ネットワーク４０を介して映像収集サーバ３０に送信する。
【００６１】
［２−３．映像収集サーバの内部構成］
さらに、図３、９、１０を参照して、本実施形態に係る映像収集サーバ３０の内部構成について、具体的に説明する。図３は、本実施形態に係る映像収集サーバ３０の内部構成を示したブロック図である。図９は、映像収集情報記憶部３２０が記憶する映像収集情報の具体例を示した説明図であり、図１０は、収集映像記憶部３４０が記憶する映像のファイル情報の具体例を示した説明図である。
【００６２】
図３に示すように、本実施形態に係る映像収集サーバ３０は、サーバ通信部３００と、重要度情報比較部３１０と、映像収集情報記憶部３２０と、映像収集部３３０と、収集映像記憶部３４０と、を備える。
【００６３】
本実施形態における映像収集情報記憶部３２０、及び収集映像記憶部３４０は、例えば、ＨＤＤ装置、ＳＳＤ装置などの記録媒体で実現されてもよい。また、サーバ通信部３００、重要度情報比較部３１０、及び映像収集部３３０は、例えば、ＣＰＵなどで構成される演算処理装置および制御装置で実現されてもよい。
【００６４】
また、映像収集情報記憶部３２０、及び収集映像記憶部３４０は、一つのハードウェアによって機能を実現されてもよいし、別々のハードウェアによって機能を実現されてもよい。さらに、サーバ通信部３００、重要度情報比較部３１０、及び映像収集部３３０についても同様に、一つのハードウェアによって機能を実現されてもよいし、別々のハードウェアによって機能を実現されてもよい。
【００６５】
サーバ通信部３００は、専用ネットワーク４０を介して各映像記憶装置２０と通信を行う。例えば、サーバ通信部３００は、各映像記憶装置２０内の重要度情報記憶部２３０に記憶されている重要度情報を受信したり、収集する映像区間の指示を映像記憶装置２０に送信したり、映像記憶装置２０内の映像送信部２５０から送信された映像区間を受信したりする。
【００６６】
重要度情報比較部３１０は、各映像記憶装置２０より重要度情報を取得し、該重要度情報を映像収集情報記憶部３２０に記憶されている映像収集情報と比較する。具体的には、重要度情報比較部３１０は、サーバ通信部３００を介して、各映像記憶装置２０内の重要度情報記憶部２３０より重要度情報を取得する。次に、重要度情報比較部３１０は、取得した重要度情報の各々と映像収集情報記憶部３２０に記憶された映像収集情報を比較し、記憶された映像収集情報にない重要度情報が取得した重要度情報に含まれている場合、重要度情報比較部３１０は該重要度情報を映像収集情報に追加する。
【００６７】
この時、重要度情報比較部３１０は、映像記憶装置番号、カメラ番号、録画日、録画開始時間、録画終了時間及び重要度については重要度情報の項目をそのまま入力し、収集フラグは「未」に設定する。重要度情報比較部３１０によって、取得した重要度情報の各々と映像収集情報との比較が終了した後、重要度情報比較部３１０は、重要度情報が追加された映像収集情報を映像収集情報記憶部３２０に上書きし記憶させる。
【００６８】
映像収集情報記憶部３２０は、映像区間の収集が完了したか否かを判定するための映像収集情報を記憶する。具体的には、映像記憶装置番号、カメラ番号、録画日、録画開始時間、録画終了時間、重要度及び収集フラグが記憶されている。
【００６９】
映像収集情報記憶部３２０が記憶する映像収集情報を図９に示す。例えば、映像記憶装置番号「００１」、カメラ番号「００１０１」、録画日「２０１１年１２月１日」、録画開始時間「１１：２２：３３」、録画終了時間「１１：２５：１１」、重要度「Ａ」の映像区間は収集フラグが「済み」であると記憶されている。また、映像記憶装置番号「００１」、カメラ番号「００１０１」、録画日「２０１１年１２月２日」、録画開始時間「９：１９：２９」、録画終了時間「９：２３：４９」、重要度「Ａ」である映像区間は収集フラグが「済み」であるが、映像記憶装置番号「００１」、カメラ番号「００１０１」、録画日「２０１１年１２月２日」、録画開始時間「１０：１０：１０」、録画終了時間「１０：１５：２０」、重要度「Ｂ」である映像区間は収集フラグが「未」であると記憶されている。さらに、異なる映像記憶装置やカメラ番号の映像区間についても、映像記憶装置番号「ｎ」、カメラ番号「ｎ０１」、録画日「２０１１年１２月１日」、録画開始時間「１１：２２：３３」、録画終了時間「１１：２５：１１」、重要度「Ａ」である映像区間は収集フラグが「済み」であり、映像記憶装置番号「ｎ」、カメラ番号「ｎ０２」、録画日「２０１１年１２月１日」、録画開始時間「１１：２２：３３」、録画終了時間「１１：２５：１１」、重要度「Ａ」である映像区間は収集フラグが「済み」であると記憶されている。
【００７０】
映像収集部３３０は、映像区間の重要度に基づいて、各映像記憶装置２０から映像区間の各々を収集する。具体的には、映像収集部３３０は、サーバ通信部３００を介して、各映像記憶装置２０内の映像記憶部２４０に記憶されている映像区間の各々より収集する映像区間を指定し、各映像記憶装置２０より送信された映像区間を受信し、収集する。
【００７１】
この時、映像収集部３３０は、映像収集情報記憶部３２０が記憶している映像収集情報に基づき、収集フラグが「未」である映像区間について重要度ごとに収集を行う。例えば、映像収集部３３０は、重要度が高い順に映像区間を収集してもよい。また、映像収集部３３０は、収集が完了した映像区間について、映像収集情報の収集フラグを「未」から「済み」に更新して映像収集情報記憶部３２０に記憶させる。
【００７２】
収集映像記憶部３４０は、映像収集部３３０によって収集された映像区間を記憶する。具体的には、収集した映像区間を映像ファイルとして記憶し、映像記憶装置番号、カメラ番号、録画日、録画開始時間、録画終了時間、及び映像ファイルを対応付けした収集映像区間のファイル情報も別途記憶している。
【００７３】
収集した映像のファイル情報には、例えば、図１０に示すように、映像記憶装置番号「００１」、カメラ番号「００１０１」、録画日「２０１１年１２月１日」、録画開始時間「１５：１１：１１」、録画終了時間「１５：１６：２２」である映像区間は、映像ファイル「１２０１００１０１ＡＡ」であるとして記憶されている。また、映像記憶装置番号「００１」、カメラ番号「００１０２」、録画日「２０１１年１２月１日」、録画開始時間「８：０１：１０」、録画終了時間「８：１１：２０」である映像区間は、映像ファイル「１２０１００１０２ＡＡ」であるとして記憶されている。さらに、映像記憶装置番号「ｎ」、カメラ番号「ｎ０１」、録画日「２０１１年１２月１日」、録画開始時間「１１：２２：３３」、録画終了時間「１５：２５：１１」である映像区間は、映像ファイル「１２０１ｎ０１ＡＡ」であり、映像記憶装置番号「ｎ」、カメラ番号「ｎ０２」、録画日「２０１１年１２月１日」、録画開始時間「１１：２２：３３」、録画終了時間「１１：２５：１１」である映像区間は、映像ファイル「１２０１ｎ０２ＡＡ」であるとして記憶されている。
【００７４】
ここで、映像収集部３３０は、映像区間の収集を所定の時間帯に行うようにしてもよい。映像区間の収集においては、映像記憶装置２０に対して、映像収集サーバ３０より頻繁にアクセスを行うため、通常時よりも映像記憶装置２０への負荷が大きい。また、専用ネットワーク４０についても、大容量の映像データの送受信が行われるため、専用ネットワーク４０を使用する他の用途に影響を与える可能性がある。そのため、自動取引装置１０の利用者が少なく、かつ専用ネットワーク４０を占有しても差し支えない時間帯に行うことが望ましい。例えば、映像収集部３３０は、業務時間外である午前０時から午前７時の時間帯に映像区間の収集を行うようにしてもよい。
【００７５】
映像収集部３３０が、午前０時から午前７時の時間帯に映像区間の収集を行う場合において、映像収集中に時刻が午前７時になった場合、映像収集部３３０は、その時点で映像区間の収集を中止してもよい。さらに、翌日、時刻が映像区間収集を行う午前０時から午前７時の時間帯になった場合、映像収集部３３０は、前日の収集中止のタイミングに関わらず、重要度の高い映像区間から収集を開始するようにしてもよい。係る場合、重要度の高い映像区間を優先的に収集できるため効率的であり、特に、専用ネットワーク４０の帯域が小さい場合であっても重要な映像区間を優先して収集することができる。
【００７６】
＜３．映像収集システムの動作＞
以上、本実施形態に係る映像収集システムの構成について説明した。続いて、図１１〜図１３を参照して、本実施形態に係る映像収集システムの動作について説明を行う。ここでは、自動取引装置１０、映像記憶装置２０、及び映像収集サーバ３０について、それぞれ動作を具体的に説明する。
【００７７】
［３−１．自動取引装置の動作］
図１１は、本実施形態に係る自動取引装置１０の動作を示すフローチャート図である。図１１に示すように、まず、重要度判定部１１０は、重要度判定情報記憶部１００より重要度判定情報を取得する（Ｓ１００）。ここで、重要度判定部１１０が重要度判定情報を取得するきっかけの具体例としては、取引が開始された時などを挙げることができる。また、設置環境における異常値を検知された際に重要度を判定するような判定基準が定義されている場合は、センサが異常値を検知した時をきっかけとしてもよい。
【００７８】
次に、重要度判定部１１０は、取得した重要度判定情報に基づいて該時間区間の重要度を判定する（Ｓ１１０）。さらに、重要度通知部１２０は、時間区間の開始時間、終了時間、及び重要度判定部１１０が判定した該時間区間の重要度を含んだ重要度通知情報を作成し（Ｓ１２０）、映像記憶装置２０へ該重要度通知情報を通知する（Ｓ１３０）。
【００７９】
［３−２．映像記憶装置の動作］
図１２は、本実施形態に係る映像記憶装置２０の動作を示すフローチャート図である。図１２に示すように、まず、重要度受信部２００は、自動取引装置１０より重要度通知情報を受信する（Ｓ２００）。次に、重要度情報作成部２１０は、ＡＴＭ−カメラ対応情報記憶部２２０より、ＡＴＭ−カメラ対応情報を取得する（Ｓ２１０）。また、重要度情報作成部２１０は、取得したＡＴＭ−カメラ対応情報と重要度受信部２００から取得した重要度通知情報とに基づいて、重要度情報を作成する（Ｓ２２０）。さらに、重要度情報作成部２１０は、作成した重要度情報を重要度情報記憶部２３０に記憶させる（Ｓ２３０）。
【００８０】
なお、映像記憶装置２０は、接続された撮像装置５０が取得した映像を映像記憶部２４０に記憶させる。映像記憶部２４０への撮像装置５０から送られる映像の記憶と、上記で説明した重要度情報の作成および記憶は、別々に行われてもよいし、映像にマークを入れるなど連動して行われてもよい。
【００８１】
［３−３．映像収集サーバの動作］
図１３は、本実施形態に係る映像収集サーバ３０の動作を示すフローチャート図である。図１３に示すように、まず、重要度情報比較部３１０は、各映像記憶装置２０内の重要度情報記憶部２３０より重要度情報を取得する（Ｓ３００）。次に、重要度情報比較部３１０は、取得した各重要度情報と映像収集情報記憶部３２０に記憶されている映像収集情報とを比較し（Ｓ３１０）、記憶されている映像収集情報にない重要度情報は取得フラグを「未」にて、映像収集情報に追加する（Ｓ３２０）。
【００８２】
さらに、映像収集部３３０は、重要度情報比較部３１０によって重要度情報が追加された映像収集情報に基づいて、まず重要度「Ａ」の映像区間の各々について収集フラグが済みであるか、未であるかを判定する（Ｓ３３０）。ここで、映像収集部３３０の収集フラグの判定は、録画日及び録画開始時間が過去のものから順に行う。重要度情報は毎日追加される可能性があるので、映像区間の収集漏れを無くすために、収集フラグの判定は録画日及び録画開始時間が過去のものから順に行うことが望ましい。また、映像記憶装置番号やカメラ番号については、収集フラグの判定は昇順、降順のどちらで行ってもよい。
【００８３】
映像区間の収集フラグが「未」である場合（Ｓ３３０／Ｎｏ）、映像収集部３３０は、該映像区間を該当する映像記憶装置２０より収集する（Ｓ３４０）。この時、該映像記憶装置２０では、映像送信部２５０が映像収集部３３０からの指示に従い、映像記憶部２４０に記憶されている映像から該当する映像区間を抽出し、映像収集サーバ３０に送信している。映像収集部３３０による該映像区間の収集が終了した後、映像収集部３３０は、映像収集情報記憶部３２０に記憶されている映像収集情報の該映像区間の収集フラグを「済み」に設定する（Ｓ３５０）。映像区間の収集フラグが「済み」である場合（Ｓ３３０／Ｙｅｓ）、映像収集部３３０は、該映像区間において、Ｓ３４０及びＳ３５０をスキップし、次の映像区間の収集フラグの判定に移る（Ｓ３３０）。
【００８４】
すべての重要度「Ａ」である映像区間について、映像収集部３３０による収集フラグの判定が終了した場合、映像収集部３３０は、映像収集情報に基づいて、重要度「Ｂ」の映像区間の各々について同様に収集フラグが済みであるか、「未」であるかを判定する（Ｓ３６０）。ここで、映像収集部３３０の収集フラグの判定は、重要度「Ａ」の映像区間の判定と同様に、録画日及び録画開始時間が過去のものから順に行う。映像区間の収集フラグが「未」である場合（Ｓ３６０／Ｎｏ）、映像収集部３３０は、該映像区間を該当する映像記憶装置２０より収集する（Ｓ３７０）。該映像区間の収集が終了した後、映像収集部３３０は、映像収集情報記憶部３２０に記憶されている映像収集情報にて、収集した映像区間の収集フラグを「済み」に設定する（Ｓ３８０）。映像区間の収集フラグが「済み」である場合（Ｓ３６０／Ｙｅｓ）、映像収集部３３０は、該映像区間において、Ｓ３７０及びＳ３８０をスキップし、次の映像区間の収集フラグの判定に移る（Ｓ３６０）。すべての重要度「Ｂ」である映像区間について、映像収集部３３０による収集フラグの判定が終了した場合、映像収集部３３０は映像の収集を終了する。
【００８５】
ここで、映像収集部３３０が、映像区間の収集を所定の時間帯に行うようになっており、上記Ｓ３００〜Ｓ３８０のステップのいずれかにて、時刻が映像区間の収集を行う時間帯を超過した場合、映像収集部３３０は、映像区間の収集の途中であっても動作を中止する。映像収集部３３０は収集途中のデータは削除し、該映像区間の映像収集情報の収集フラグも「済み」に設定しない。翌日、時刻が映像区間の収集を行う所定の時間帯になった場合、改めて、映像収集部３３０はＳ３００から動作を開始する。
【００８６】
なお、本実施形態においては、重要度「Ｂ」の映像区間まで映像収集を行う動作を示したが、本発明は係る例に限定されない。映像区間の収集は重要度「Ａ」のみとしてもよい。また、重要度の段階がより多段階に分けられており、映像収集サーバ３０が、重要度「Ａ」、「Ｂ」以降の映像区間も収集する場合、上記映像収集サーバ３０は、Ｓ３８０以降にＳ３３０〜Ｓ３５０のループを収集する重要度の数だけ加えた動作を行う。
【００８７】
＜４．変形例＞
なお、上記実施形態では、映像収集サーバ３０は、センタに一台存在するとして説明したが、本発明は係る例に限定されない。映像収集サーバ３０は、複数台存在してもよい。映像収集サーバ３０が複数台存在する場合は、収集する映像区間が重複しないように、映像収集サーバ３０ごとに収集する映像記憶装置２０の番号が異なるようにしておくことが望ましい。例えば、映像収集サーバ３０−１は、映像記憶装置番号「１」〜「１００」の映像区間を収集し、映像収集サーバ３０−２は、映像記憶装置番号「１０１」〜「２００」の映像区間を収集するように設定してもよい。
【００８８】
また、上記実施形態では、映像記憶装置２０は、一店舗に一台存在するとして説明したが、本発明は係る例に限定されない。映像記憶装置２０は、複数台存在してもよい。撮像装置５０は、同じ映像が複数台の映像記憶装置２０に記憶されないよう、単一の映像記憶装置２０に接続されていることが望ましい。
【００８９】
また、上記実施形態では、自動取引装置１０及び撮像装置５０は、一店舗に複数台存在するとして説明したが、本発明は係る例に限定されない。自動取引装置１０及び撮像装置５０は少なくとも一台以上存在すればよい。
【００９０】
なお、上記実施形態では、時間区間の重要度判定を自動取引装置１０が行うとして説明したが、本発明は係る例に限定されない。例えば、映像記憶装置２０が時間区間の重要度を判定する構成であってもよい。係る場合、映像記憶装置２０は、重要度判定情報記憶部１００及び重要度判定部１１０と同様の機能を備えた構成をさらに有してもよい。
【００９１】
例えば、重要度判定情報に、設置環境においてセンサが異常値を検知した際に重要度を判定するような判定基準が定義されている場合において、センサを映像記憶装置２０に設置することで、上記の構成を実現することができる。センサが検知するパラメータとしては、振動、加速度、温度などが挙げられる。係る場合において、映像記憶装置２０に接続されているすべての撮像装置５０が取得した映像について、映像区間を設定する。
【００９２】
さらに、他の例としては、撮像装置５０が取得した映像に基づいて、映像記憶装置２０が重要度を判定するような判定基準を定義してもよい。具体的には、人物の侵入や動作を検知して重要度を判定してもよい。係る場合において、該映像が取得された撮像装置５０の映像について、映像区間を設定する。
【００９３】
＜５．まとめ＞
上記にて詳細に構成及び動作を説明したように、本発明に係る映像収集システムでは、映像区間ごとに重要度を設定することが可能であり、かつ映像区間の重要度に基づいて映像区間を収集することが可能である。したがって、本発明に係る映像収集システムは、映像収集サーバ３０と映像記憶装置２０とのネットワーク帯域が小さい場合であっても、また、映像収集可能な時間が短い場合であっても、所望の重要度の映像区間を抽出して収集することが可能である。
【００９４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００９５】
なお、本発明に係る映像記憶装置２０及び映像収集サーバ３０に内蔵されるハードウェアを、上述した映像記憶装置２０及び映像収集サーバ３０の各構成と同等の機能を発揮させるためのコンピュータプログラムも作成可能である。さらに、該コンピュータプログラムを記憶させた記憶媒体も提供される。
【符号の説明】
【００９６】
１０      自動取引装置
２０      映像記憶装置
３０      映像収集サーバ
４０      専用ネットワーク
５０      撮像装置
１００    重要度判定情報記憶部
１１０    重要度判定部
１２０    重要度通知部
２００    重要度受信部
２１０    重要度情報作成部
２２０    ＡＴＭ−カメラ対応情報記憶部
２３０    重要度情報記憶部
２４０    映像記憶部
２５０    映像送信部
３００    サーバ通信部
３１０    重要度情報比較部
３２０    映像収集情報記憶部
３３０    映像収集部
３４０    収集映像記憶部
【図１】
2014067282.tif 000003
【図２】
2014067282.tif 000004
【図３】
2014067282.tif 000005
【図４】
2014067282.tif 000006
【図５】
2014067282.tif 000007
【図６】
2014067282.tif 000008
【図７】
2014067282.tif 000009
【図８】
2014067282.tif 000010
【図９】
2014067282.tif 000011
【図１０】
2014067282.tif 000012
【図１１】
2014067282.tif 000013
【図１２】
2014067282.tif 000014
【図１３】
2014067282.tif 000015